(57)【要約】【課題】パイロット信号が受信できない場合においても伝播による振幅変動の補正を可能にし、振幅変動の補正処理を簡易化する。【解決手段】周波数変換器１１は局部発信器１２の局部発信信号に基づき受信信号の周波数を変換し、利得制御部１３は電圧出力部１４の制御電圧に基づき受信信号の信号レベルを制御する。分配器１５は分配した受信信号の一方を他の機器に送り、他方をＡ−Ｄ器１６に送り、Ａ−Ｄ器１６は受信信号をＡ−Ｄ変換する。制御部１７は受信信号からパイロット信号を検出し、パイロット信号の周波数と基準周波数との差分に基づき局部発信器１２に第１制御信号を送り、パイロット信号の信号レベルとパイロット信号基準レベルとの差分に基づき電圧出力部１４に第２制御信号を送る。パイロット信号を検出しなかった場合は、キャリア信号の信号レベルの平均値とキャリア信号基準レベルとの差分に基づき電圧出力部１４に第２制御信号を送る。【選択図】図１
2013187875.tif 000002
【特許請求の範囲】
【請求項１】
受信信号の周波数を、所定の周波数に変換する周波数変換部と、
前記周波数変換部で周波数変換を行った前記受信信号の信号レベルを、所定の利得制御量に基づき制御する利得制御部と、
前記利得制御部で信号レベルの制御を行った前記受信信号からパイロット信号およびキャリア信号を検出する検出部と、
前記検出部で前記パイロット信号を検出した場合には、前記パイロット信号の周波数と所定の基準周波数との差分に基づき、前記所定の周波数を調節する周波数調節部と、
前記検出部で前記パイロット信号を検出した場合には、前記パイロット信号の信号レベルと所定のパイロット信号基準レベルとの差分に基づき前記所定の利得制御量を調節し、前記検出部で前記パイロット信号を検出しなかった場合に、前記キャリア信号を検出した場合には、所定の基準を満たす前記キャリア信号の信号レベルと前記所定の基準を満たす前記キャリア信号の数とに基づき算出した前記キャリア信号の信号レベルの平均値と所定のキャリア信号基準レベルとの差分に基づき前記所定の利得制御量を調節する利得制御量調節部と、
を備える受信機。
【請求項２】
前記利得制御量調節部は、前記検出部で前記パイロット信号を検出しなかった場合に、前記キャリア信号を検出した場合には、前記キャリア信号の内、周波数領域において振幅値が所定の閾値以上である前記キャリア信号を抽出し、抽出した前記キャリア信号のそれぞれについて、前記周波数領域において該キャリア信号を中心とした前記受信信号の帯域幅に含まれる前記キャリア信号の振幅値を合算して該キャリア信号の信号レベルを算出し、前記キャリア信号の信号レベルの合計を、抽出した前記キャリア信号の数で除算した値を、前記キャリア信号の信号レベルの平均値として算出する請求項１に記載の受信機。
【請求項３】
前記利得制御量調節部で算出した前記キャリア信号の信号レベルの平均値と前記所定のキャリア信号基準レベルとの差分をキャリア信号差分データとして記憶する第１記憶部をさらに備え、
前記利得制御量調節部は、前記検出部で前記パイロット信号を検出しなかった場合に、前記キャリア信号を検出した場合には、前記第１記憶部に記憶された直近の所定の個数の前記キャリア信号差分データに基づき前記所定の利得制御量を調節する請求項１または２に記載の受信機。
【請求項４】
前記利得制御量調節部は、前記検出部で前記パイロット信号を検出しなかった場合に、前記キャリア信号を検出した場合には、前記第１記憶部に記憶された直近の所定の個数の前記キャリア信号差分データの平均値を算出し、該平均値に基づき前記所定の利得制御量を調節する請求項３に記載の受信機。
【請求項５】
前記利得制御量調節部で検出した前記パイロット信号の信号レベルと前記所定のパイロット信号基準レベルとの差分をパイロット信号差分データとして記憶する第２記憶部をさらに備え、
前記利得制御量調節部は、前記検出部で前記パイロット信号および前記キャリア信号のいずれも検出しなかった場合には、前記第２記憶部に記憶された直近の所定の個数の前記パイロット信号差分データに基づき前記所定の利得制御量を調節する請求項１ないし４のいずれか１項に記載の受信機。
【請求項６】
受信機が行う受信信号制御方法であって、
受信信号の周波数を、所定の周波数に変換する周波数変換ステップと、
前記周波数変換ステップで周波数変換を行った前記受信信号の信号レベルを、所定の利得制御量に基づき制御する利得制御ステップと、
前記利得制御ステップで信号レベルの制御を行った前記受信信号からパイロット信号およびキャリア信号を検出する検出ステップと、
前記検出ステップで前記パイロット信号を検出した場合には、前記パイロット信号の周波数と所定の基準周波数との差分に基づき、前記所定の周波数を調節する周波数調節ステップと、
前記検出ステップで前記パイロット信号を検出した場合には、前記パイロット信号の信号レベルと所定のパイロット信号基準レベルとの差分に基づき前記所定の利得制御量を調節し、前記検出ステップで前記パイロット信号を検出しなかった場合に、前記キャリア信号を検出した場合には、所定の基準を満たす前記キャリア信号の信号レベルと前記所定の基準を満たす前記キャリア信号の数とに基づき算出した前記キャリア信号の信号レベルの平均値と所定のキャリア信号基準レベルとの差分に基づき前記所定の利得制御量を調節する利得制御量調節ステップと、
を備える受信信号制御方法。
【請求項７】
前記利得制御量調節ステップにおいて、前記検出ステップで前記パイロット信号を検出しなかった場合に、前記キャリア信号を検出した場合には、前記キャリア信号の内、周波数領域において振幅値が所定の閾値以上である前記キャリア信号を抽出し、抽出した前記キャリア信号のそれぞれについて、前記周波数領域において該キャリア信号を中心とした前記受信信号の帯域幅に含まれる前記キャリア信号の振幅値を合算して該キャリア信号の信号レベルを算出し、前記キャリア信号の信号レベルの合計を、抽出した前記キャリア信号の数で除算した値を、前記キャリア信号の信号レベルの平均値として算出する請求項６に記載の受信信号制御方法。
【請求項８】
前記利得制御量調節ステップにおいて算出した前記キャリア信号の信号レベルの平均値と前記所定のキャリア信号基準レベルとの差分であるキャリア信号差分データを直近の所定の個数分取得する第１取得ステップをさらに備え、
前記利得制御量調節ステップにおいて、前記検出ステップで前記パイロット信号を検出しなかった場合に、前記キャリア信号を検出した場合には、前記第１取得ステップで取得した直近の所定の個数の前記キャリア信号差分データに基づき前記所定の利得制御量を調節する請求項６または７に記載の受信信号制御方法。
【請求項９】
前記利得制御量調節ステップにおいて、前記検出ステップで前記パイロット信号を検出しなかった場合に、前記キャリア信号を検出した場合には、前記第１取得ステップで取得した直近の所定の個数の前記キャリア信号差分データの平均値を算出し、該平均値に基づき前記所定の利得制御量を調節する請求項８に記載の受信信号制御方法。
【請求項１０】
前記利得制御量調節ステップにおいて算出した前記パイロット信号の信号レベルと前記所定のパイロット信号基準レベルとの差分であるパイロット信号差分データを直近の所定の個数分取得する第２取得ステップをさらに備え、
前記利得制御量調節ステップにおいて、前記検出ステップで前記パイロット信号および前記キャリア信号のいずれも検出しなかった場合には、前記第２取得ステップで取得した直近の所定の個数の前記パイロット信号差分データに基づき前記所定の利得制御量を調節する請求項６ないし９のいずれか１項に記載の受信信号制御方法。
【発明の詳細な説明】
【技術分野】
【０００１】
この発明は、マルチキャリア信号を受信する受信装置に用いられる受信機および受信信号制御方法に関する。
【背景技術】
【０００２】
衛星通信システムは、衛星内部の局部発信器の周波数のドリフトを、地球局が受信した受信信号から検出したパイロット信号の周波数誤差に基づき補正する。また降雨減衰などの衛星中継により生じる振幅変動を、該パイロット信号の振幅に基づき自動利得調節機能を用いて補正する。
【０００３】
特許文献１に開示される技術では、パイロット信号に基づき周波数のドリフトおよび振幅変動を補正する。そしてパイロット信号のレベル変動を記憶し、該レベル変動範囲が可変減衰器の自動レベル制御範囲に入るように、別の可変減衰器を制御し、降雨減衰に適応させる。また特許文献２に開示される技術では、マスターチャネル部および各スレーブチャネル部のいずれかがキャリアを受信した場合には、マスターチャネル部および各スレーブチャネル部の内、キャリアを受信した全てのチャネル部で復調した受信信号と基準電圧との差分に基づき自動利得調節量を算出し、該自動利得調節量の平均値に基づき受信信号の自動利得調節を実施する。
【先行技術文献】
【特許文献】
【０００４】
【特許文献１】特開平１１−１６３７７６号公報
【特許文献２】特開２０００−６８９５７号公報
【発明の概要】
【発明が解決しようとする課題】
【０００５】
特許文献１に開示される技術では、パイロット信号を受信できなかった場合に、振幅変動を補正することができなくなる。そのため、降雨減衰の影響が大きい周波数帯においては、振幅変動が大きくなり、受信信号を復調することが困難となる。特許文献２に開示される技術では、キャリアを受信しているマスターチャネル部およびスレーブチャネル部で算出した自動利得調節量の平均値に基づき受信信号の利得を調節することで、あるチャネル部でキャリアを受信できない場合に、他のチャネル部が回線断となることを防止している。しかし、自動利得調節量の平均値に基づき利得を調節するため、演算処理および回路構成が複雑である。
【０００６】
本発明は、上述の事情に鑑みてなされたものであり、パイロット信号が受信できない場合においても伝播による振幅変動の補正を可能にし、振幅変動の補正処理を簡易化することを目的とする。
【課題を解決するための手段】
【０００７】
上記目的を達成するため、本発明の第１の観点に係る受信機は、周波数変換部と、利得制御部と、検出部と、周波数調節部と、利得制御量調節部とを備える。周波数変換部は、受信信号の周波数を、所定の周波数に変換する。利得制御部は、周波数変換部で周波数変換を行った受信信号の信号レベルを、所定の利得制御量に基づき制御する。検出部は、利得制御部で信号レベルの制御を行った受信信号からパイロット信号およびキャリア信号を検出する。周波数調節部は、検出部でパイロット信号を検出した場合には、パイロット信号の周波数と所定の基準周波数との差分に基づき、所定の周波数を調節する。利得制御量調節部は、検出部でパイロット信号を検出した場合には、パイロット信号の信号レベルと所定のパイロット信号基準レベルとの差分に基づき所定の利得制御量を調節し、検出部でパイロット信号を検出しなかった場合に、キャリア信号を検出した場合には、所定の基準を満たすキャリア信号の信号レベルと所定の基準を満たすキャリア信号の数とに基づき算出したキャリア信号の信号レベルの平均値と所定のキャリア信号基準レベルとの差分に基づき所定の利得制御量を調節する。
【発明の効果】
【０００８】
本発明によれば、パイロット信号が受信できない場合においても伝播による振幅変動の補正が可能となり、さらに振幅変動の補正処理を簡易化することが可能となる。
【図面の簡単な説明】
【０００９】
【図１】本発明の実施の形態１に係る受信機の構成例を示すブロック図である。
【図２】実施の形態１に係る受信機の使用例を示すブロック図である。
【図３】周波数領域における受信信号のスペクトルの例を示す図である。
【図４】実施の形態１に係る制御部の構成例を示すブロック図である。
【図５】実施の形態１に係る受信機が行う受信制御の動作の一例を示すフローチャートである。
【図６】実施の形態１に係る受信機が行う周波数・利得制御量調節の動作の一例を示すフローチャートである。
【図７】本発明の実施の形態２に係る受信機が行う周波数・利得制御量調節の動作の一例を示すフローチャートである。
【発明を実施するための形態】
【００１０】
以下、本発明の実施の形態について図面を参照して詳細に説明する。なお図中、同一または同等の部分には同一の符号を付す。
【００１１】
（実施の形態１）
図１は、本発明の実施の形態１に係る受信機の構成例を示すブロック図である。実施の形態１に係る受信機１は、周波数変換器１１、局部発信器１２、利得制御部１３、電圧出力部１４、分配器１５、Ａ−Ｄ（Analog-to-Digital）変換器１６、および制御部１７を備える。図２は、実施の形態１に係る受信機の使用例を示すブロック図である。受信装置２は、アンテナ３、低雑音増幅器４、Ｄ−Ｃ（Down-Converter）部５、受信機１、および復調器６を備える。図３は、周波数領域における受信信号のスペクトルの例を示す図である。横軸は周波数である。実線の矢印はパイロット信号であり、点線の矢印はｃｈ０〜ｍの各チャネルの位置を表しており、実線の曲線は、データ伝送に用いるキャリア信号のスペクトルを表している。
【００１２】
アンテナ３は、衛星から、例えばＰＳＫ（Phase  Shift  Keying：位相偏移変調）変調波などの、図３に示すようなマルチキャリア信号を受信し、低雑音増幅器４に送る。低雑音増幅器４は、受け取った受信信号の低雑音増幅を行い、Ｄ−Ｃ部５に送る。Ｄ−Ｃ部５は、受け取った受信信号を中間周波数に周波数変換し、受信機１に送る。受信機１は、受け取った受信信号を、所定の周波数に変換して周波数変動を補正し、所定の利得制御量に基づき信号レベルを制御して振幅変動を補正し、復調器６に送る。復調器６は、受け取った受信信号の復調処理を行い、他の装置に送信する。
【００１３】
受信機１の動作について説明する。周波数変換器１１は、局部発信器１２が出力する局部発信信号を用いて、入力された受信信号を所定の周波数に変換し、利得制御部１３に送る。利得制御部１３は、受け取った受信信号の信号レベルを、電圧出力部１４が出力する制御電圧に基づき制御し、分配器１５に送る。分配器１５は、受け取った受信信号を分配して、一方を復調器６に送り、他方をＡ−Ｄ変換器１６に送る。Ａ−Ｄ変換器１６は、受け取った受信信号をＡ−Ｄ変換し、受信信号データを制御部１７に送る。制御部１７は、受信信号データに基づき所定の周波数を決定し、局部発信信号の周波数を調節するための第１制御信号を局部発信器１２に送る。局部発信器１２は、第１制御信号に応じて局部発信信号の周波数を調節し、局部発信信号を周波数変換器１１に送る。また制御部１７は、受信信号データに基づき所定の利得制御量を決定し、制御電圧を調節するための第２制御信号を電圧出力部１４に送る。電圧出力部１４は、第２制御信号に応じて制御電圧を調節し、制御電圧を利得制御部１３に送る。
【００１４】
図４は、実施の形態１に係る制御部の構成例を示すブロック図である。制御部１７は、ＦＦＴ部１７１、検出部１７２、演算部１７３、記憶部１７４、周波数調節部１７５、および利得制御量調節部１７６を備える。ＦＦＴ部１７１は、所定の単位時間ごとにＡ−Ｄ変換器１６から受信信号データを取り込むことを所定の回数繰り返す。所定の単位時間および所定の回数は、設計により決められる値であり、例えばチャネルの判定に必要な分解能に基づき決定される。ＦＦＴ部１７１は、受信信号データの取り込みを所定の回数繰り返すと、取り込んだ受信信号データのＦＦＴ（Fast  Fourier  Transformation：高速フーリエ変換）を行い、演算結果を検出部１７２に送る。検出部１７２は、ＦＦＴ部１７１の演算結果から、パイロット信号の周波数および振幅値を検出する。パイロット信号が検出できなかった場合には、各チャネルのキャリア信号の振幅値を検出する。検出部１７２は、検出結果を演算部１７３に送る。
【００１５】
演算部１７３は、検出部１７２でパイロット信号を検出した場合には、検出部１７２から送られたパイロット信号の周波数と基準周波数との差分を算出し、周波数調節部１７５に送る。周波数調節部１７５は、該差分が小さくなるように所定の周波数を決定し、周波数変換器１１で受信信号を所定の周波数に変換できるように、局部発信信号の周波数を調節するための第１制御信号を局部発信器１２に送る。また演算部１７３は、検出部１７２から送られたパイロット信号の振幅値に基づきパイロット信号の信号レベルを算出し、該信号レベルと所定のパイロット信号基準レベルとの差分を算出し、利得制御量調節部１７６に送る。利得制御量調節部１７６は、該差分が小さくなるように所定の利得制御量を決定し、制御電圧を調節するための第２制御信号を電圧出力部１４に送る。
【００１６】
演算部１７３は、検出部１７２でパイロット信号を検出しなかった場合に、キャリア信号を検出した場合には、検出部１７２から送られたキャリア信号の内、所定の基準を満たすキャリア信号の振幅値とキャリア信号の数に基づき、キャリア信号の信号レベルの平均値を算出する。演算部１７３は、例えば以下のようにキャリア信号の信号レベルの平均値を算出する。検出部１７２で検出した周波数領域におけるキャリア信号の振幅値の集合Ａを、下記（１）式で表す。図３に示すように、ｍ＋１個のチャネルにそれぞれ位置するキャリア信号が検出されているものとする。
【００１７】
【数１】
2013187875.tif 000003
【００１８】
演算部１７３は、振幅値が所定の閾値以上であるキャリア信号を抽出する。抽出したキャリア信号の振幅値の集合Ｂを、下記（２）式で表し、ｎ個のチャネルにそれぞれ位置するキャリア信号の振幅値が所定の閾値以上であるとする。
【００１９】
【数２】
2013187875.tif 000004
【００２０】
抽出した各キャリア信号について、周波数領域において該キャリア信号を中心とした受信信号の帯域幅に含まれるキャリア信号の振幅値を合算し、該キャリア信号の信号レベルを算出する。例えば、上記（２）式に含まれる振幅値Ｂｉのキャリア信号と、上記（１）式に含まれる振幅値Ａｊのキャリア信号とは同一のキャリア信号であるとする。周波数領域において振幅値Ｂｉのキャリア信号を中心とし、受信信号の帯域幅に相当する±ｋ個ずつのチャネルにそれぞれ位置するキャリア信号を合算することで算出される、振幅値Ｂｉのキャリア信号の信号レベルＰｉは下記（３）式で表される。
【００２１】
【数３】
2013187875.tif 000005
【００２２】
演算部１７３は、各キャリア信号の信号レベルの合計を、抽出したキャリア信号の数で除算し、キャリア信号の信号レベルの平均値として算出する。キャリア信号の信号レベルの平均値Ｐａｖｇは、下記（４）式で表される。
【００２３】
【数４】
2013187875.tif 000006
【００２４】
演算部１７３は、キャリア信号の信号レベルの平均値と所定のキャリア信号基準レベルとの差分Ｄを算出し、キャリア信号差分データとして記憶部１７４に記憶する。演算部１７３は、直近の所定の個数のキャリア信号差分データに基づき、例えばキャリア信号差分データの平均値を算出し、利得制御量調節部１７６に送る。直近の所定の個数をｒとすると、キャリア信号差分データの平均値Ｄａｖｇは、下記（５）式で表される。下記（５）式中の右辺の差分Ｄｔの添え字ｔは、キャリア信号差分データＤが算出されたタイミングを示し、ｔ＝τであるキャリア信号差分データＤが直近で算出されたキャリア信号差分データを示すものとする。
【００２５】
【数５】
2013187875.tif 000007
【００２６】
利得制御量調節部１７６は、キャリア信号差分データの平均値Ｄａｖｇに基づき、該平均値が小さくなるように所定の利得制御量を決定し、制御電圧を調節するための第２制御信号を電圧出力部１４に送る。
【００２７】
図５は、実施の形態１に係る受信機が行う受信制御の動作の一例を示すフローチャートである。周波数変換器１１は、受信信号を受け取る（ステップＳ１１０）。周波数変換器１１は、局部発信器１２が出力する局部発信信号を用いて、受け取った受信信号を所定の周波数に変換する（ステップＳ１２０）。利得制御部１３は、受信信号の信号レベルを、電圧出力部１４が出力する制御電圧に基づき制御する（ステップＳ１３０）。分配器１５は受信信号を分配して、一方を復調器６に送り、他方をＡ−Ｄ変換器１６に送る（ステップＳ１４０）。受信機１は、上述の処理を繰り返し行う。
【００２８】
図６は、実施の形態１に係る受信機が行う周波数・利得制御量調節の動作の一例を示すフローチャートである。周波数・利得制御量調節は、上述の受信制御とは独立したタイミングで行われる。Ａ−Ｄ変換器１６は、受信信号をＡ−Ｄ変換し、受信信号データを生成する。ＦＦＴ部１７１は、所定の単位時間ごとに受信信号データを取り込むことを所定の回数繰り返し、受信信号データを取り込む（ステップＳ２１０）。ＦＦＴ部１７１は、受信信号データのＦＦＴを行う。検出部１７２は、ＦＦＴ部１７１の演算結果から、パイロット信号の周波数および振幅値を検出する（ステップＳ２２０）。
【００２９】
検出部１７２でパイロット信号を検出した場合には（ステップＳ２３０：Ｙ）、演算部１７３は、検出部１７２から送られたパイロット信号の周波数と基準周波数との差分を算出する（ステップＳ２４０）。周波数調節部１７５は、該差分が小さくなるように所定の周波数を決定し、局部発信信号の周波数を調節するための第１制御信号を局部発信器１２に送る（ステップＳ２５０）。また演算部１７３は、検出部１７２から送られたパイロット信号の振幅値に基づき算出した信号レベルと所定のパイロット信号基準レベルとの差分を算出する（ステップＳ２６０）。利得制御量調節部１７６は、該差分が小さくなるように所定の利得制御量を決定し、制御電圧を調節するための第２制御信号を電圧出力部１４に送る（ステップＳ２７０）。
【００３０】
検出部１７２は、パイロット信号が検出できなかった場合には（ステップＳ２３０：Ｎ）、各チャネルのキャリア信号の振幅値を検出する（ステップＳ２８０）。演算部１７３は、検出部１７２から送られた各チャネルのキャリア信号の内、振幅値が所定の閾値以上であるキャリア信号の振幅値と該キャリア信号の数に基づき、キャリア信号の信号レベルの平均値を算出する（ステップＳ２９０）。そして、キャリア信号の信号レベルの平均値と所定のキャリア信号基準レベルとの差分を算出し、キャリア信号差分データとして記憶部１７４に記憶する（ステップＳ３００）。演算部１７３は、直近の所定の個数のキャリア信号差分データの平均値を算出する（ステップＳ３１０）。利得制御量調節部１７６は、該平均値が小さくなるように所定の利得制御量を決定し、制御電圧を調節するための第２制御信号を電圧出力部１４に送る（ステップＳ３２０）。受信機１は、上述の処理を繰り返し行う。
【００３１】
以上説明したとおり、本実施の形態１に係る受信機１によれば、パイロット信号が受信できない場合においても伝播による振幅変動の補正を可能にし、振幅変動の補正処理を簡易化することが可能となる。
【００３２】
（実施の形態２）
実施の形態２に係る受信機１の構成は、実施の形態１に係る受信機１の構成と同様である。実施の形態１と異なる、制御部１７の動作について説明する。
【００３３】
実施の形態１と同様に、ＦＦＴ部１７１は、受信信号データを取り込み、ＦＦＴを行い、検出部１７２に送る。検出部１７２は、ＦＦＴ部１７１の演算結果から、パイロット信号の周波数および振幅値を検出する。パイロット信号が検出できなかった場合には、各チャネルのキャリア信号の振幅値を検出する。検出部１７２は、検出結果を演算部１７３に送る。
【００３４】
演算部１７３は、検出部１７２でパイロット信号を検出した場合には、実施の形態１と同様に、パイロット信号の周波数と基準周波数との差分を算出し、周波数調節部１７５に送る。周波数調節部１７５は、該差分が小さくなるように所定の周波数を決定し、第１制御信号を局部発信器１２に送る。また演算部１７３は、検出部１７２から送られたパイロット信号の振幅値に基づき算出した信号レベルと所定のパイロット信号基準レベルとの差分を算出し、利得制御量調節部１７６に送る。そして、該差分をパイロット信号差分データとして記憶部１７４に記憶する。実施の形態１と同様に、利得制御量調節部１７６は、該差分が小さくなるように所定の利得制御量を決定し、第２制御信号を電圧出力部１４に送る。
【００３５】
演算部１７３は、検出部１７２でパイロット信号を検出しなかった場合に、キャリア信号を検出した場合には、実施の形態１と同様に、振幅値が所定の閾値以上であるキャリア信号の振幅値と該キャリア信号の数に基づき、キャリア信号の信号レベルの平均値を算出する。そして、平均値と所定のキャリア信号基準レベルとの差分を算出し、キャリア信号差分データとして記憶部１７４に記憶する。演算部１７３は、直近の所定の個数のキャリア信号差分データの平均値を算出し、利得制御量調節部１７６に送る。利得制御量調節部１７６は、所定の利得制御量を決定し、第２制御信号を電圧出力部１４に送る。
【００３６】
演算部１７３は、検出部１７２でパイロット信号およびキャリア信号のいずれも検出しなかった場合には、記憶部１７４に記憶された直近のパイロット信号差分データを検出し、利得制御量調節部１７６に送る。利得制御量調節部１７６は、所定の利得制御量を決定し、第２制御信号を電圧出力部１４に送る。
【００３７】
図７は、実施の形態２に係る受信機が行う周波数・利得制御量調節の動作の一例を示すフローチャートである。ステップＳ２１０〜Ｓ２８０までの処理は、図６に示す実施の形態１に係る受信機が行う周波数・利得制御量調節の動作と同様である。ただし、ステップＳ２６０において、演算部１７３は、パイロット信号の信号レベルと所定のパイロット信号基準レベルとの差分を算出し、パイロット信号差分データとして記憶部１７４に記憶する。
【００３８】
検出部１７２は、パイロット信号が検出できなかった場合には（ステップＳ２３０：Ｎ）、各チャネルのキャリア信号の振幅値を検出する（ステップＳ２８０）。キャリア信号を検出した場合には（ステップＳ２８１：Ｙ）、演算部１７３は、実施の形態１と同様にステップＳ２９０〜Ｓ３２０までの処理を行う。
【００３９】
検出部１７２でパイロット信号およびキャリア信号のいずれも検出しなかった場合には（ステップＳ２３０：Ｎ、Ｓ２８１：Ｎ）、演算部１７３は、記憶部１７４に記憶された直近のパイロット信号差分データを検出する（ステップＳ３３０）。利得制御量調節部１７６は、直近のパイロット信号差分データに基づき、該差分が小さくなるように所定の利得制御量を決定し、第２制御信号を電圧出力部１４に送る（ステップＳ３４０）。受信機１は、上述の処理を繰り返し行う。
【００４０】
以上説明したとおり、本実施の形態２に係る受信機１によれば、パイロット信号およびキャリア信号のいずれも検出しなかった場合においても、記憶されている直近のパイロット信号の信号レベルとパイロット信号基準レベルとの差分に基づき、受信信号の信号レベルを制御することが可能となる。
【００４１】
本発明の実施の形態は上述の実施の形態に限られない。パイロット信号が複数存在する場合には、所定のチャネルに存在するパイロット信号を用いて、受信信号の周波数変換および信号レベルの制御を行うよう構成すればよい。また記憶部１７４を設けずに、演算部１７３は、検出部１７２から送られたキャリア信号の内、所定の基準を満たすキャリア信号の振幅値とキャリア信号の数に基づき、キャリア信号の信号レベルの平均値を算出し、該平均値と所定のキャリア信号基準レベルとの差分を、利得制御量調節部１７６に送るよう構成してもよい。また演算部１７３は、直近の所定の個数のキャリア信号差分データの最頻値と所定のキャリア信号基準レベルとの差分を、利得制御量調節部１７６に送るよう構成してもよい。
【符号の説明】
【００４２】
１  受信機
２  受信装置
３  アンテナ
４  低雑音増幅器
５  Ｄ−Ｃ部
６  復調器
１１  周波数変換器
１２  局部発信器
１３  利得制御部
１４  電圧出力部
１５  分配器
１６  Ａ−Ｄ変換器
１７  制御部
１７１  ＦＦＴ部
１７２  検出部
１７３  演算部
１７４  記憶部
１７５  周波数調節部
１７６  利得制御量調節部
【図１】
2013187875.tif 000008
【図２】
2013187875.tif 000009
【図３】
2013187875.tif 000010
【図４】
2013187875.tif 000011
【図５】
2013187875.tif 000012
【図６】
2013187875.tif 000013
【図７】
2013187875.tif 000014